(57)【要約】【課題】組み立て作業が簡単で、能率よく行うことができるコーナーヒンジの提供。【解決手段】第一部材１１の上支持部１２と下支持部１３との間に、第二部材２１の支持部２２を配位し、回動軸３１を挿通して、両部材を回動可能に接続したものである。ワッシャ４１は筒状部４２とフランジ部４３とから構成されている。このワッシャ４１を第二部材２１の上下の端面に嵌め合わせて予め固定した後、第二部材２１の支持部２２を第一部材１１の上下の支持部１２、１３の間に配位し、回動軸３１を挿通する。【選択図】          図２
0003135486.tif 000002
【実用新案登録請求の範囲】
【請求項１】
第一部材と第二部材とが回動可能に取り付けられたもので、
第一部材には上下の支持部が設けられ、
この上下の支持部には軸挿通孔が形成され、
上下の支持部の少なくともいずれか一方の軸挿通孔は上下に貫通しており、
第二部材には少なくとも一つの支持部を備え、この支持部には上下方向に貫通する軸挿通孔が形成され、
上記の第一第二部材の軸挿通孔に回動軸を挿通して第一部材と第二部材とを回動可能に取り付けたヒンジにおいて
第一部材の上の支持部の下端面と第二部材の支持部の上端面との少なくとも何れか一方の端面と、第一部材の下の支持部の上端面と第二部材の支持部の下端面との少なくとも何れか一方の端面とには、軸挿通孔の周囲に沿って、凹部が環状に形成されており、
この環状の凹部にワッシャが嵌められて固定され、
予めワッシャが嵌められた状態で、第二部材の支持部を第一部材の上下の支持部の間に配位し、第一部材の上下の軸挿通孔および第二部材の軸挿通孔に、回動軸を挿通したことを特徴とするヒンジの組み付け構造。
【請求項２】
ワッシャが、筒状部と、筒状部の一端から外方向に広がるフランジ部とを備え、
この筒状部が上記の環状の凹部に嵌められ、フランジ部が第一部材又は第二部材の上記の端面より突出した状態で、当該端面に取り付けられたものであることを特徴とする請求項１記載のヒンジの組み付け構造。
【請求項３】
ヒンジが分電盤や配電盤などの本体とこの本体に回動可能に取り付けられる扉体を備えた筐体に用いられるコーナーヒンジであり、第一部材が筐体の本体又は扉体のいずれか一方に取り付けられ、第二部材がいずれか他方に取り付けられるものであることを特徴とするヒンジの組み付け構造。
【考案の詳細な説明】
【技術分野】
【０００１】
本願考案は、ヒンジの組付け構造に関するものである。
【背景技術】
【０００２】
従来より、特許文献１及び２に示すように、分電盤、配電盤、厨房機器、業務用の冷凍冷蔵庫の扉、フエンスのコーナーなどには、コーナーヒンジと呼ばれる蝶番が使用されている。この種のコーナーヒンジは、第一部材と第二部材とが回動可能に取り付けられたもので、第一部材には上下の支持部が設けられ、この上下の支持部には軸挿通孔が形成され、上下の支持部の少なくともいずれか一方の軸挿通孔は上下に貫通しており、第二部材には少なくとも一つの支持部を備え、この支持部には上下方向に貫通する軸挿通孔が形成され、上記の第一第二部材の軸挿通孔に回動軸を挿通して第一部材と第二部材とを回動可能に取り付けたもので、この第一部材と第二部材の一方に、扉が取り付けられ、他方に、この扉を取り付ける躯体が固定される。
この第一部材と第二部材との間には、合成樹脂製等のワッシャが配位される。従って、このコーナーヒンジの組付けに際しては、第一部材の上の支持部、ワッシャ、第二部材、ワッシャ、第一部材の下の支持部の５つの挿通孔を位置合せして、一本の回動軸を挿通する必要がある。ところが、この作業は、ワッシャは薄く小さいため、第一部材と第二部材との間に配位されると外部からは視認しにくく、ましてや、挿通軸の位置は、全く確認でなきない状態で回動軸を挿通するため、困難な作業となり、時間と熟練を要するものである。
【０００３】
【特許文献１】特開平８−１０４３５４号公報
【特許文献２】実開平６−７１６０４号公報
【考案の開示】
【考案が解決しようとする課題】
【０００４】
本願考案は、第一部材と第二部材とが回動可能に取り付けられたもので、第一部材には上下の支持部が設けられ、この上下の支持部には軸挿通孔が形成され、上下の支持部の少なくともいずれか一方の軸挿通孔は上下に貫通しており、第二部材には少なくとも一つの支持部を備え、この支持部には上下方向に貫通する軸挿通孔が形成され、上記の第一第二部材の軸挿通孔に回動軸を挿通して第一部材と第二部材とを回動可能に取り付けたヒンジにおいて、組み立て作業が簡単で、能率よく行うことができるようにすることを、目的とする。
【課題を解決するための手段】
【０００５】
本願の第１の考案は、第一部材の上の支持部の下端面と第二部材の支持部の上端面との少なくとも何れか一方の端面と、第一部材の下の支持部の上端面と第二部材の支持部の下端面との少なくとも何れか一方の端面とには、軸挿通孔の周囲に沿って、凹部が環状に形成されており、この環状の凹部にワッシャが嵌められて固定され、予めワッシャが嵌められた状態で、第二部材の支持部を第一部材の上下の支持部の間に配位し、第一部材の上下の軸挿通孔および第二部材の軸挿通孔に、回動軸を挿通したことを特徴とするヒンジの組み付け構造を提供する。
本願の請求項２に係る考案は、ワッシャが、筒状部と、筒状部の一端から外方向に広がるフランジ部とを備え、この筒状部が上記の環状の凹部に嵌められ、フランジ部が第一部材又は第二部材の上記の端面より突出した状態で、当該端面に取り付けられたものであることを特徴とする請求項１記載のヒンジの組み付け構造を提供する。
本願の請求項３に係る考案は、ヒンジが分電盤や配電盤などの本体とこの本体に回動可能に取り付けられる扉体を備えた筐体に用いられるコーナーヒンジであり、第一部材が筐体の本体又は扉体のいずれか一方に取り付けられ、第二部材がいずれか他方に取り付けられるものであることを特徴とするヒンジの組み付け構造を提供する。
なお、本願考案において、上下上右前後は相対的な位置関係を示すもので、絶対的な位置を特定するものではない。
【考案の効果】
【０００６】
本願考案にあっては、本願の考案は、第一部材の上の支持部の下端面と第二部材の支持部の上端面との少なくとも何れか一方の端面と、第一部材の下の支持部の上端面と第二部材の支持部の下端面との少なくとも何れか一方の端面とには、軸挿通孔の周囲に沿って、凹部が環状に形成されており、この環状の凹部にワッシャが嵌められて固定されたものであるため、組付けに際しては、ワッシャは第一部材又は第二部材と一体となり、ワッシャの位置がずれるおそれがなく、素早く、熟練を要することなく、回動軸を挿通することができるものである。
特に、ワッシャが、筒状部と、筒状部の一端から外方向に広がるフランジ部とを備え、この筒状部が上記の環状の凹部に嵌められ、フランジ部が第一部材又は第二部材の上記の端面より突出した状態で、当該端面に取り付けられることによって、ワッシャの筒状部は環状の凹部にしっかりと支持され、ワッシャが第一部材又は第二部材から容易に脱落するおそれはなく、より確実な作業を行うことができる。
【考案を実施するための最良の形態】
【０００７】
以下、図面に基づき本願考案の実施の形態を説明する。
図１は本願考案の実施の形態に係るコーナーヒンジの正面図であり、図２は同断面図であり、図３（Ａ）は同コーナーヒンジのワッシャの平面図であり、（Ｂ）は同断面図である。
【０００８】
このコーナーヒンジは、第一部材１１と、第二部材２１と、回動軸３１と、２個のワッシャ４１とから構成されているもので、主として、分電盤や配電盤などの本体とこの本体に回動可能に取り付けられる扉体を備えた筐体に使用される。
【０００９】
第一部材１１は、上支持部１２と、下支持部１３と、この上支持部１２と下支持部１３を繋ぐ連絡部１４を備え、正面視略Ｃ字状をなしている。上支持部１２と、下支持部１３には、上軸挿通孔１５、下軸挿通孔１６がそれぞれ形成されている。この上軸挿通孔１５と下軸挿通孔１６とはその中心軸が一致している。この上軸挿通孔１５と下軸挿通孔１６とは、少なくともいずれか一方が上下に貫通するものであるが、この例では双方が上下に貫通している。
【００１０】
第二部材２１は一つの支持部２２を備える。この支持部２２には上下方向に貫通する軸挿通孔２３が形成されている。この軸挿通孔２３は、上記の上軸挿通孔１５、下軸挿通孔１６と同じ径を有するもので、第二部材２１の支持部２２を、第一部材１１の上支持部１２と下支持部１３との間に配位し、回動軸３１を通すことによって、第一部材１１と第二部材２１とが回動可能に接続される。
【００１１】
第二部材２１の支持部２２における上下の端部には、ワッシャ４１が配位されている。具体的には、支持部２２における軸挿通孔２３の上下の端部には、軸挿通孔２３の周囲に沿って、凹部２４が環状に形成されている。
【００１２】
他方、ワッシャ４１は合成樹脂製の一体成形品で、筒状部４２とフランジ部４３とから構成されている。筒状部４２は軸挿通孔２３内に配位される筒状をなすもので、その内径は、上軸挿通孔１５、下軸挿通孔１６、軸挿通孔２３とに等しく設定されている。そして、この筒状部４２の一端から外方向に広がるようにフランジ部４３が形成されており、この筒状部４２が凹部２４内に嵌合し、フランジ部４３が支持部２２の上下の端面に沿って配位される。
【００１３】
このコーナーヒンジの組み立てに際しては、支持部２２における軸挿通孔２３の上下の端部に、ワッシャ４１を取り付ける。このワッシャ４１を取り付けた状態で、ワッシャ４１を上支持部１２と下支持部１３との間に配位し、上軸挿通孔１５、下軸挿通孔１６、軸挿通孔２３の位置を合わせて、回動軸３１を挿通する。なお、回動軸３１は一端に頭部頭部３２を有し、この頭部頭部３２が上軸挿通孔１５の上端に設けられた段差に係合するものである。
【００１４】
以上によりコーナーヒンジの組付けが完了する。なお、上支持部１２、下支持部１３、第二部材２１には、それぞれメネジｍが形成されており、このメネジｍによって対象物（例えば、扉と躯体やケーシング）に取り付けられる。
【００１５】
本願考案は上記の実施の形態にかぎるものでなはく、ワッシャ４１を上軸挿通孔１５の下端や、下軸挿通孔１６の上端に設けるようにしてもよい。また、この例では、第二部材２１には一つの支持部２２を設けたが、２つの支持部を設けて、第一部材１１の上支持部１２、下支持部１３と組み合わせるようにしてもよく、さらに支持部の数は、３個４個と増やすこともできる。またヒンジの全体の形状としても、図面に記載のものに限定されるものではなく、種々のコーナーヒンジのみならず、他のヒンジにも応用して実施することができる。
【図面の簡単な説明】
【００１６】
【図１】本願考案の実施の形態に係るコーナーヒンジの正面図である。
【図２】同断面図である。
【図３】（Ａ）は同コーナーヒンジのワッシャの平面図であり、（Ｂ）は同断面図である。
【符号の説明】
【００１７】
１１  第一部材
１２  上支持部
１３  下支持部
１４  連絡部
１５  上軸挿通孔
１６  下軸挿通孔
２１  第２部材
２２  支持部
２３  軸挿通孔
２４  凹部
３１  回動軸
３２  頭部
４１  ワッシャ
４２  筒状部
４３  フランジ部
【図１】
0003135486.tif 000003
【図２】
0003135486.tif 000004
【図３】
0003135486.tif 000005
【手続補正書】
【提出日】平成19年7月11日(2007.7.11)
【手続補正１】
【補正対象書類名】実用新案登録請求の範囲
【補正対象項目名】全文
【補正方法】変更
【補正の内容】
【実用新案登録請求の範囲】
【請求項１】
第一部材と第二部材とが回動可能に取り付けられたもので、
第一部材には上下の支持部が設けられ、
この上下の支持部には軸挿通孔が形成され、
上下の支持部の少なくともいずれか一方の軸挿通孔は上下に貫通しており、
第二部材には少なくとも一つの支持部を備え、この支持部には上下方向に貫通する軸挿通孔が形成され、
上記の第一第二部材の軸挿通孔に回動軸を挿通して第一部材と第二部材とを回動可能に取り付けたヒンジにおいて
第一部材の上の支持部の下端面と第二部材の支持部の上端面との少なくとも何れか一方の端面と、第一部材の下の支持部の上端面と第二部材の支持部の下端面との少なくとも何れか一方の端面とには、軸挿通孔の周囲に沿って、凹部が環状に形成されており、
この環状の凹部にワッシャが嵌められて固定され、
予めワッシャが嵌められた状態で、第二部材の支持部を第一部材の上下の支持部の間に配位し、第一部材の上下の軸挿通孔および第二部材の軸挿通孔に、回動軸を挿通したことを特徴とするヒンジの組み付け構造。
【請求項２】
ワッシャが、筒状部と、筒状部の一端から外方向に広がるフランジ部とを備え、
この筒状部が上記の環状の凹部に嵌められ、フランジ部が第一部材又は第二部材の上記の端面より突出した状態で、当該端面に取り付けられたものであることを特徴とする請求項１記載のヒンジの組み付け構造。
【請求項３】
ヒンジが分電盤や配電盤などの本体とこの本体に回動可能に取り付けられる扉体を備えた筐体に用いられるコーナーヒンジであり、第一部材が筐体の本体又は扉体のいずれか一方に取り付けられ、第二部材がいずれか他方に取り付けられるものであることを特徴とする請求項２記載のヒンジの組み付け構造。